(57)【特許請求の範囲】
【請求項１】
装置底面にフィルターを設置した空気取り入れ部を設け、装置内に薬効成分含浸マット設置部と、速度可変式の電動ファンと、調光式の加熱兼照明用電球を設け、フィルターを通過して装置内に入った空気は、電動ファンにより空気排出部方向に送られ、電球より加熱され、薬効成分含浸マットに接触後、装置上方に設けた空気排出部より装置外に排出されるようにするとともに、加熱兼照明用電球の調光スイッチと電動ファンの速度調節スイッチを連関させ、電球の照度が明るくなるにしたがい電動ファンの速度が遅くなるようにしたことを特徴とする電気式害虫忌避・殺虫装置。
【請求項２】
温度センサーを設け、これを加熱兼照明用電球の調光スイッチと電動ファンの速度調節スイッチと連関させ、ある一定の電球照度に対しセンサーで感知した温度が高くなるにしたがい電動ファンの速度が遅くなるようにした請求項１記載の電気式害虫忌避・殺虫装置。
【発明の詳細な説明】
【０００１】
【発明の属する技術分野】
この発明は、電源として交流又は直流の電気を使用し、薬剤（殺虫剤又は忌避剤）を含浸させてあるマット（板）状のものから電動ファンによる送風及び加熱作用により薬効成分を気化，昇華させるとともに装置外に拡散させるようにし、装置の周囲（例えば家屋の一部屋分又はそれ以上の範囲）で害虫を殺したり、あるいは寄せつけないようにするために使用する電気式害虫忌避・殺虫装置に関するものであり、季節にかかわらず効果が発揮できるようにし、一般家庭から業務用まで広範囲で使用できるようにしたものである。
【０００２】
また、フィルターにいわゆる竹炭シートのような脱臭や抗菌作用のあるものを使用することにより、装置から排出される空気には余分な悪臭や雑菌等が極力含まれないようにし、有効な薬効成分を含有した空気のみが循環するようにするとともに、そのためにオゾン発生装置のような特別な装置は必要とせず装置全体を小型化し、設置場所に制約を受けないようにしたものである。
【０００３】
【従来の技術】
従来から蚊取り線香に代わるものとして、主として安全と健康上の目的から一般家庭での使用を目的としては、電気式の液体蚊取り器やマット式蚊取り器のように薬効成分を電熱により気化や昇華させこれを室内で自然に対流させるようにした殺虫器が広く利用されている。
【０００４】
また主として業務用として、例えば飲食店，ホテル，病院等のもっと広い面積で強力な殺虫効果を発揮させるために、薬効成分を含浸させたマットをもっと大型化し、またこのマットを一台の装置に多数設置し、多量の薬効成分を含浸した空気を装置下方から排出して広範囲に循環させるために装置上方の空気取り入れ口近傍に電動ファンを設けたようなものもある。
【０００５】
さらに、例えば飲食店等の厨房等で使用するに際し、害虫の駆除のみにとどまらず、同時に店内の脱臭や病原菌等の殺菌効果等を発揮させるためにオゾン発生装置をこれらに組み込み、オゾンにより脱臭や殺菌を図りながら薬効成分を広く拡散させて害虫の駆除を図るようにしたものもある。
【０００６】
【発明が解決しようとする課題】
しかし、上述したように薬効成分を含浸させたマットを大型化し、さらにこのマットを一台の装置に多数設置した場合には、それなりに殺虫効果は大きくなるが装置全体が大きくなってしまい設置できる場所や施設が限られてしまう。また、殺虫成分を含有した空気を装置から効果的に循環させるためには装置底面から空気を取り入れ、装置上方から排出するようにするのが望ましい。
【０００７】
一方、オゾンを脱臭や殺菌に利用することはそれなりの効果があることは確かであるが、オゾンが大量にある場合には人体に害を及ぼすおそれもあり、したがって人間が常駐している場所では使用に制約があり、またオゾン発生装置自体を装置に組み込むと装置全体が大きくなってしまい、さらに一般的には通常の家庭で使用するには高価なものとなってしまう。
【０００８】
すなわち、薬効成分をマットから効率的に気化や昇華させるためには、空気を強制的に送るだけでなく、同時に空気やマットを加熱するのが効果的である。したがって、装置内に空気の送風機能だけでなく加熱機能も組み込むことが有効である。そして、これらの機能を有効に利用し適切な殺虫効果を得るためには送風量や加熱温度を適当に調節できるようにしておくことが望ましい。
【０００９】
さらに、室内において殺虫成分を含んだ空気を効果的に循環させるためには、空気の取り入れ口は装置の底部とし、空気の排出部は装置上方に設けることが有効である。また、装置内に取り入れる空気を脱臭、殺菌するためにフィルターにこのような効果を有するものを使用すれば、別途オゾン発生装置のような特別な装置を必要としないですむ。そして、このようにすることにより装置全体の小型化が図れることになる。
【００１０】
【課題を解決するための手段】
そこで、この発明にかかる電気式害虫忌避・殺虫装置は上記課題を解決するために、装置底面にフィルターを設置した空気取り入れ部を設け、装置内に薬効成分含浸マット設置部と、速度可変式の電動ファンと、調光式の加熱兼照明用電球を設け、フィルターを通過して装置内に入った空気は、電動ファンにより空気排出部方向に送られ、電球より加熱され、薬効成分含浸マットに接触後、装置上方に設けた空気排出部より装置外に排出されるようにしたものである。
【００１１】
【作用】
電動ファンの働きにより装置底面からフィルターを通過して装置内に取り入れられる空気は、フィルター通過時に例えば竹炭シートのような脱臭，殺菌効果を有するフィルターにより脱臭されるとともに殺菌される。
【００１２】
そして、加熱兼照明用電球の熱により空気が加熱されるとともに薬効成分含浸マットも加熱されることにより、薬効成分の気化や昇華が促進され、薬効成分を適当量含有した空気が装置上方の空気排出部より装置外に排出され、この薬効成分の働きにより害虫を殺したりあるいは忌避したりする。また、電動ファンの回転速度と加熱兼照明電球の照度を調節することにより、薬効成分の排出量を調節する。
【００１３】
【発明の実施の形態】
次にこの発明の電気式害虫忌避・殺虫装置の一実施例を図面に基づいて説明する。１は直方体形状の装置本体であり、装置本体１の底面はフィルター２を脱着可能に取り付けた空気取り入れ部３となっている。装置本体１の上方には空気排出部４が形成してある。なお、図示した例では空気排出部４は正面板上方と側面板上方に設けた例を示したが、天板に形成してもよい。また、装置本体１の形状は必ずしも図示したように直方体形状である必要はなく、装置底面から空気を吸い込み装置上方から排出するようになっていればその外形に制約はない。いずれにしても空気排出部４が空気取り入れ部３より上方に位置していればよい。
【００１４】
そして装置内には空気取り入れ部３の上方に速度可変式の電動ファン５が設置してあり、その上方には調光式の加熱兼照明用の電球６が設置してある。７は電球６の上方に設けた薬効成分含浸マット設置部であり、複数枚の薬効成分含浸マット８を並行に並べて立てられるように左右の対向する位置に溝９が複数形成してある。薬効成分含浸マット８は図示した例では板状のものを示したが、この形状は任意であり例えば筒状等でもよい。また、薬効成分としては公知の殺虫成分や害虫忌避成分を塗布したものや含浸させたようなものであり、加熱することにより薬効成分の気化や昇華が促進されるようなものであれば何でもよい。
【００１５】
なお、１０は加熱兼照明用電球６の調光スイッチであり、時計方向に回すにしたがい電球６の照度は明るくなるとともに発熱量も多くなる。また１１は電動ファン５の速度調節スイッチであり、時計方向に回すにしたがい電動ファン５の回転速度が速くなる。これらの各スイッチは図においては側面下方に設けたが、スイッチの場所はこれに限定されるものではない。
【００１６】
なお、フィルター２は殺菌や抗菌及び脱臭機能を有しているものを使用することが望ましい。このような機能を発揮するものであればどのようなものであってもよいが、例えば竹炭の抗菌作用及び脱臭効果を利用した竹炭シートが使用可能である。竹炭シートとは、竹炭の微粒子や微粉末を不織布に直接塗布したり、あるいは竹炭の微粒子や微粉末を高分子樹脂を媒体としてベース不織布に吹き付け塗布し、そのベース不織布の両側にニードルパンチ加工により側用不織布を貼り付けるようにしたものである。また、木炭シートも同様にして製造できる。なお、竹炭シートや木炭シートの製法は上記方法によるものに限定されるものではない。
【００１７】
また、竹炭や木炭に限らずその他殺菌や抗菌及び脱臭機能を有する素材を使用してフィルターとして設置できるように加工してあるものであるならどのようなものでも使用可能である。但し、装置内の汚れを防止するとともに装置から排出される空気を物理的にもきれいにするためにある程度の除塵効果も併せもっているものが望ましい。
【００１８】
しかして、電動ファン５の速度調節スイッチ１１を回して適当な速度で電動ファン５を回転させると、図３に示すように装置本体１底面のフィルター２を通過して装置内に入った空気は、太い矢印で示すように電動ファン５により空気排出部４方向に送られ、電球６より加熱され、薬効成分含浸マット８に接触後、装置上方に設けた空気排出部５より薬効成分を含んだ空気が装置外に排出される。そして、調光スイッチ１０も適当に調節しておくことにより薬効成分含浸マット８の加熱量も調節でき、薬効成分の気化や昇華する量を適当に調節できることになる。なお図３において、太い矢印は空気の流れを示すものである。
【００１９】
また、空気吸い込み口を装置底面に設け空気排出部を装置上方に設けたので、必ずしも電動ファンを作動させなくても自然対流によっても空気は装置内を下から入って上方から排出される。そして、室内温度がある程度高い場合には電球を点灯させなくても薬効成分は適当に気化し、したがって、電動ファンと電球の双方をＯＦＦにしても、室温によりある程度の効力は発揮できることになる。
【００２０】
なお、加熱兼照明用電球の調光スイッチと電動ファンの速度調節スイッチをそれぞれ図示したように個別に設けず、これらの作動を連関させて操作上は一つのスイッチにし、例えばスイッチを時計方向に回すと電球の照度が明るくなるにしたがい電動ファンの速度が遅くなるようにしておくと、電球を明るくすると発熱量も多くなりファンをそのままの回転速度にしておくと薬効成分の拡散量が多くなりすぎることも考えられるので、このようにしておくことにより不用意に多量の薬効成分が拡散されないようにすることができる。逆に、スイッチを反時計方向に回すと電球の照度が暗くなって発熱量が小さくなるので、必要な薬効成分の拡散量を確保するためにファンの回転速度はを速くなるようにする。
【００２１】
また、温度センサーを設け、これを加熱兼照明用電球の調光スイッチと電動ファンの速度調節スイッチと連関させ、ある一定の電球照度に対しセンサーで感知した温度が高くなるにしたがい電動ファンの速度が遅くなるようにしておくと、使用箇所の温度により電球による加熱量を自動的に調節することができる。夜間無人で使用する場合でも適切な量の薬効成分を自動的に拡散することができ、例えば冬期夜間に暖房を停止した後等に有効である。
【００２２】
さらに、受光センサーを設けておき、室内の明るさにより電球の照度を自動的に調節するようにしておいてもよい。このようにしておくと、単なる実用品としての機能にとどまらずインテリア用品としての効果も期待できる。また、受光センサーを電動ファンの速度調節スイッチと連関させ、例えば明るいときには速度を遅くし、暗いときには速度を速めるようにしておく。このような設定にしておくと、夜間の無人のときには拡散量が増え殺虫効果が高まり、明るいときには人が居るものとして人間に害を加えない程度に殺虫効果を自動的に低めることができる。
【００２３】
【発明の効果】
以上述べたように本発明の電気式害虫忌避・殺虫装置は、装置底面にフィルターを設置した空気取り入れ部を設け、装置内に薬効成分含浸マット設置部と、速度可変式の電動ファンと、調光式の加熱兼照明用電球を設け、フィルターを通過して装置内に入った空気は、電動ファンにより空気排出部方向に送られ、電球より加熱され、薬効成分含浸マットに接触後、装置上方に設けた空気排出部より装置外に排出されるようにしたので、電動ファンの働きにより強制的に薬効成分を装置から拡散することができ、また電球の働きにより薬効成分の気化や昇華を促進でき、さらにオゾン発生装置のような大がかりな装置を使用しなくても空気の脱臭や殺菌が可能となり、よって装置自体は小型化しても大型の同種の装置以上の効果を発揮することができる。
【００２４】
また、加熱兼照明用電球の調光スイッチと電動ファンの速度調節スイッチを連関させ、電球の照度が明るくなるにしたがい電動ファンの速度が遅くなるようにしたので、適当量の薬効成分が装置から排出するように簡単に調整できる。さらに、温度センサーを設け、これを加熱兼照明用電球の調光スイッチと電動ファンの速度調節スイッチと連関させ、ある一定の電球照度に対しセンサーで感知した温度が高くなるにしたがい電動ファンの速度が遅くなるようにしたので、常に適切な量の薬効成分が装置から排出されるようになる。
【図面の簡単な説明】
【図１】本発明の電気式害虫忌避・殺虫装置の正面図である。
【図２】図１に示す電気式害虫忌避・殺虫装置の天板を取って内部構造を示した斜視図である。
【図３】図１に示す電気式害虫忌避・殺虫装置の内部構造及び装置内の空気の流れを示す説明図である。
【符号の説明】
１  装置本体
２  フィルター
３  空気取り入れ部
４  空気排出部
５  電動ファン
６  電球
７  薬効成分含浸マット設置部
８  薬効成分含浸マット
９  溝
１０  調光スイッチ
１１  速度調節スイッチ
【図１】
0003555025.tif 000002
【図２】
0003555025.tif 000003
【図３】
0003555025.tif 000004